(57)【要約】  本発明は、電流を用いてヒトケラチン物質を美容的に処置するデバイス（１）であって、少なくとも、電源システムと、電極（１０）および対極（１５）と、化粧品組成物を収容するリザーバ（３）であって、組成物用の少なくとも１つの出口オリフィス（４）が設けられるリザーバ（３）と、リザーバ（３）から組成物が供給される適用エンドピース（６）とを備え、リザーバ（３）が、第１の導電性ゾーン（１）によりかつ第２の弾性変形可能ゾーン（２）により、少なくとも部分的に画定される、デバイス（１）に関する。
2019517316.tif 000002
【特許請求の範囲】
【請求項１】
電流を用いてヒトケラチン物質を美容的に処置するデバイス（１）であって、少なくとも
−電源システムと、
−電極（１０）および対極（１５）と、
−化粧品組成物を収容する取外し可能なリザーバ（３）であって、前記組成物用の少なくとも１つの出口オリフィス（４）が設けられているリザーバ（３）と、
−前記リザーバ（３）から組成物が供給され、前記ヒトケラチン物質と接触するように意図された適用面（５）を画定する適用エンドピース（６）と、
を備え、
前記リザーバ（３）が、前記電源システムに接続されている第１の導電性ゾーン（１）により、かつ第２の弾性変形可能ゾーン（２）により、少なくとも部分的に画定され、前記第２の弾性変形可能ゾーン（２）が、前記組成物に圧力をかけ、この圧力が、前記出口オリフィス（４）が開放位置にあるときに、前記リザーバ（３）の容積の低減と前記出口オリフィス（４）を通る前記組成物の流れとをもたらすことができ、前記出口オリフィス（４）が閉鎖位置にあるとき、前記組成物が前記リザーバ（３）の内部に保持されていることを特徴とするデバイス。
【請求項２】
前記リザーバが、５０マイクロリットル（μｌ）〜１０ｍｌの最大容積によって画定されていることを特徴とする、請求項１に記載のデバイス。
【請求項３】
前記化粧品組成物が、２５℃でかつ１．０１３  １０５Ｐａの大気圧で測定された、０．５Ｐａ．ｓ未満の粘度を有することを特徴とする、請求項１または２に記載のデバイス。
【請求項４】
前記組成物用の前記適用エンドピース（６）が導電性または非導電性であることを特徴とする、請求項１〜３のいずれか一項に記載のデバイス。
【請求項５】
前記リザーバ（３）から現れる前記組成物の流量を１μｌ／ｃｍ２〜５０μｌ／ｃｍ２に制御するシステムを備えることを特徴とする、請求項１〜４のいずれか一項に記載のデバイス。
【請求項６】
各出口オリフィス（４）が、１０ｍｍ２未満、好ましくは０．０３ｍｍ２〜１０ｍｍ２の前記組成物用の出口断面積を画定していることを特徴とする、請求項１〜５のいずれか一項に記載のデバイス。
【請求項７】
前記第１の導電性ゾーン（１）が電極を形成していることを特徴とする、請求項１〜６のいずれか一項に記載のデバイス。
【請求項８】
前記第１の導電性ゾーン（１）が、前記適用面（５）から離れていることを特徴とする、請求項１〜７のいずれか一項に記載のデバイス。
【請求項９】
前記第１の導電性ゾーン（１）が、導電性コーティングまたは導電性材料を含むことを特徴とする、請求項１〜８のいずれか一項に記載のデバイス。
【請求項１０】
前記第２の弾性変形可能ゾーン（２）がエラストマーを含むことを特徴とする、請求項１〜９のいずれか一項に記載のデバイス。
【請求項１１】
前記第２の弾性変形可能ゾーン（２）が、少なくとも２％の伸長度を有する材料を含むことを特徴とする、請求項１〜１０のいずれか一項に記載のデバイス。
【請求項１２】
前記出口オリフィス（４）が閉鎖位置にあるとき、前記リザーバ（３）が、使用者の動作の影響を受けて裂けることができる脆弱ゾーンを含むことを特徴とする、請求項１〜１１のいずれか一項に記載のデバイス。
【請求項１３】
前記リザーバ（３）が、ｐＨを安定化することができる導電性ヒドロゲルの外層を含むことを特徴とする、請求項１〜１２のいずれか一項に記載のデバイス。
【請求項１４】
前記適用エンドピース（６）を作動させる熱、光、特に、音波、超音波、高周波またはエレクトロポレーション振動の供給源を備えることを特徴とする、請求項１〜１３のいずれか一項に記載のデバイス。
【請求項１５】
前記電源システムが、好ましくは１Ｈｚ〜５ＭＨｚの周波数で交流電流を送達することを特徴とする、請求項１〜１４のいずれか一項に記載のデバイス。
【請求項１６】
請求項１〜１５のいずれか一項に記載のデバイスにより身体表面を処置する美容方法であって、
−このようなデバイス（１）を提供するステップと、
−前記リザーバ（３）の前記出口オリフィス（４）を開放するステップと、
−前記適用面（５）を、処置される身体表面と接触させるステップと、
−前記身体表面の上にわたって前記適用面（５）を移動させるステップと、
を含む美容方法。
【発明の詳細な説明】
【技術分野】
【０００１】
本発明は、ヒトケラチン物質の美容処置を行うデバイスに関する。
【０００２】
より一般的には、化粧品は、２００９年１１月３０日付きの化粧品に関するＲｅｇｕｌａｔｉｏｎ（ＥＣ）Ｎｏ．１２２３／２００９  ｏｆ  ｔｈｅ  Ｅｕｒｏｐｅａｎ  Ｐａｒｌｉａｍｅｎｔ  ａｎｄ  Ｃｏｕｎｃｉｌに定義された製品である。
【０００３】
本発明は、特に、電流を用いてヒトケラチン物質を処置するデバイスに関する。
【０００４】
「ヒトケラチン物質」という表現は、主に、皮膚、特に身体もしくは顔の皮膚、または頭皮、爪もしくは毛髪を意味するものとして理解される。
【背景技術】
【０００５】
皮膚への電流の印加により活性薬剤の浸透を促進することができることが知られている。したがって、イオン導入デバイスを用いてヒトケラチン物質を処置することが知られている。イオン導入により、電気刺激を用いて非侵襲的な方法で皮膚を通して活性薬剤を拡散させることが可能になる。印加される電流は、強度および極性（陽極電流または陰極電流）に関して調整可能であり得る。イオン導入による分子の経皮的拡散は、２つの原理、すなわち、電気反発および電気浸透に基づく。
【０００６】
電気反発は、同符号の電荷の反発によるイオン化分子の泳動である。したがって、正に帯電した物質は、陽極（＋）で皮膚を通して拡散する。
【０００７】
電気浸透は、イオン導入中の陽極から陰極への水の流れに付随する同伴により、分子が、非イオン化分子であっても、泳動することである。泳動は、特に、皮膚の負の電荷に起因する。電流の影響の下で、泳動中に水または溶剤は、溶解した物質を同伴する。
【０００８】
特許文献１は、複数のボールを備えた、マッサージ機能も有する電流アプリケータに関し、ボールはすべて、ボールホルダの下に延在する組成物リザーバ内に浸漬されている。
【０００９】
特許文献２は、アクティブ電極と、リザーバおよびリザーバ内に貯蔵された活性薬剤と、電気回路を閉回路にするパッシブ電極と、電極に電流を供給する電源とを備えた、眼用イオン導入システムを開示している。アクティブ電極は、リザーバ内にはめ込むことにより、または（たとえば、電着により）リザーバ内に直接形成することにより、リザーバ内に配置することができる。アクティブ電極は、たとえば、グリッドまたは網の形態で、導線を導電性層によってコーティングすることにより、製造することができる。アクティブ電極は、任意選択的に、デバイスを眼球に適用している間にかけられる力等、機械的な力の作用の下で変形することができるのに十分な可撓性を有する。リザーバは、たとえばシリコーンから形成される可撓性側壁を備えることができ、この材料は、眼球との接触に非常に好適である。リザーバは、活性薬剤用の供給管と、場合により活性薬剤用の出口管とを備えることができる。
【００１０】
特許文献２によれば、化粧品は、緻密かつ固形の形態である。それは、眼球とまたは瞼と直接、静的に接触して、リザーバから２つのリップの間に突出する。しかしながら、液体組成物を用いる動的処置には、組成物が漏れる危険があるため、それほど適していない。
【先行技術文献】
【特許文献】
【００１１】
【特許文献１】米国特許第５０９０４０２号明細書
【特許文献２】国際公開第２００５１１５２８１号パンフレット
【発明の概要】
【発明が解決しようとする課題】
【００１２】
イオン導入の効力を向上させるように活性薬剤の浸透を促進する、電流を用いる美容処置用デバイスを、さらに改良する必要がある。
【００１３】
動的処置の場合を含む、優れた効力を示し、快適にかつ完全に安全に使用することができる、電流を用いてヒトケラチン物質を処置するデバイスから利益を得ることが必要である。
【００１４】
リザーバを備え、処置される表面にわたって、この表面にわたり特定の部位にかたよることなく均一なケアをもたらすように、製品の規則的な分配を可能にする、こうしたデバイスから利益を得ることも必要である。
【課題を解決するための手段】
【００１５】
したがって、本発明の主題は、その態様のうちの１つによれば、電流を用いてヒトケラチン物質を美容的に処置するデバイスであって、少なくとも
−電源システムと、
−電極および対極と、
−化粧品組成物を収容する取外し可能なリザーバであって、組成物用の少なくとも１つの出口オリフィスが設けられているリザーバと、
−リザーバから組成物が供給され、ヒトケラチン物質と接触するように意図された適用面を画定する適用エンドピースと、
を備え、
リザーバが、電源システムに接続されている第１の導電性ゾーンにより、かつ第２の弾性変形可能ゾーンにより、少なくとも部分的に画定され、第２の弾性変形可能ゾーンが、組成物に、出口オリフィスが開放位置にあるときにリザーバの容積の低減と出口オリフィスを通る組成物の流れとをもたらすことができる圧力をかけ、出口オリフィスが閉鎖位置にあるとき、組成物がリザーバの内部に保持されているデバイスである。
【００１６】
本発明によれば、組成物は、出口オリフィスが開放されるとすぐにリザーバから連続的に放出される。したがって、組成物の出口流は、単純な方法で、単に、第２の弾性変形可能ゾーン（第２の弾性変形可能ゾーンは、その平衡状態に戻る傾向がある）の弛緩により、調節される。
【００１７】
弾性変形可能な壁の性質は、意図される処置および組成物の流動性に応じて、リザーバからの組成物のより急速なまたは急速でない出口流をもたらすように選択することができる。流量は、この選択によって容易に制御することができる。
【００１８】
さらに、組成物は、使用者がデバイスを連続的に移動させる限り、皮膚の上にわたってより均一に分配することができる。美容処置の効力は、処置される部位全体にわたって向上する。
【００１９】
デバイスの部品の数を低減させることができ、すなわち、リザーバから組成物を排出するためのモータまたはピストンが不要である。排出を開始するために、出口オリフィスを開放することのみが必要である。
【００２０】
弾性変形可能な壁は、リザーバの最大容積を画定する第１の位置と、リザーバの最小容積を画定する第２の位置との間で移動することができる。リザーバの最大容積は、出口オリフィスが閉鎖位置にあるときのリザーバの容積である。
【００２１】
弾性変形可能な壁の存在には、ヒトケラチン物質にわたる組成物の分配を平滑にする効果がある。
【００２２】
本発明の第１の実施形態によれば、第１の導電性ゾーンは、第２の弾性変形可能ゾーンとは別個である。
【００２３】
第２実施形態によれば、第１の導電性ゾーンは、第２の弾性変形可能ゾーンと一致し、そのため、弾性かつ導電性材料が使用される。
【００２４】
本発明はまた、上述したようなデバイスにより身体表面を処置する美容方法であって、
−こうしたデバイスを提供するステップと、
−リザーバの出口オリフィスを開放するステップと、
−適用面を、処置される身体表面と接触させるステップと、
−前記身体表面の上にわたって適用面を移動させるステップと、
を含む美容方法にも関する。
【００２５】
有利には、本発明による方法は動的プロセスである。
【００２６】
リザーバ
有利には、リザーバは、５０マイクロリットル（μｌ）〜１０ｍｌの最大容積によって画定されている。
【００２７】
選択される容積に応じて、リザーバは、単回投与リザーバまたは多回使用リザーバであり得る。
【００２８】
デバイスは、有利には、リザーバから現れる組成物の流量を１μｌ／ｃｍ２〜５０μｌ／ｃｍ２に制御するシステムを備える。
【００２９】
組成物は、連続的にかつ激しい変動なしにデバイスの出口において分配される。分配流量が規則正しいことにより、適用される微弱電流の効力および安定性、したがって、処置中の使用者の快適さが確保される。より好ましくは、各出口オリフィスは、１０ｍｍ２未満、好ましくは０．０３ｍｍ２〜１０ｍｍ２の組成物用の出口断面積を画定している。
【００３０】
出口オリフィスは、リザーバの壁にわたって規則的に分散させることができる。たとえば、リザーバは、出口オリフィスを画定する多孔質ゾーン、たとえば、織布または不織布を備えることができる。
【００３１】
リザーバは、デバイスの内部に位置するハウジング内に配置することができる。この場合、リザーバにアクセスするためにデバイスを開放する必要がある。
【００３２】
リザーバは、予備成形フィルムの射出ブロー成形もしくは押出ブロー成形または溶接によって製造することができる。
【００３３】
リザーバは、特に、単回使用リザーバであり得る。リザーバは、単回投与リザーバである場合もあればそうでない場合もある。
【００３４】
リザーバは、任意選択的に使用者がデバイスの外部からアクセス可能な、適用エンドピースと直接接触するように配置されたクッションも形成することができる。クッションは、織布または多孔質材料によって形成されたエンドピースで覆うことができる。
【００３５】
有利には、リザーバは、ｐＨを安定化することができる導電性ヒドロゲルの外層を含む。
【００３６】
第１の導電性ゾーン
「導電性材料」は、電荷が移動するのを可能にする、すなわち、電流の通過を可能にすることができる材料である。有利には、導電性材料は、１ｍＳ／ｃｍを超える、さらに好適には１００ｍＳ／ｃｍ以上を超える導電率を有する。
【００３７】
有利には、第１の導電性ゾーンは電極を形成している。このように、デバイスの部品の数が低減する。
【００３８】
より有利には、第１の導電性ゾーンは、適用面から離れている。この構成により、身体表面の燃焼または加熱が回避されるかまたは低減する。
【００３９】
一実施形態によれば、第１の導電性ゾーンは、導電性コーティングまたは導電性材料を含む。使用者に対して、所望の効果と行われる処置とに応じて、第１のゾーンの性質を選択する著しい数の可能性が提供される。
【００４０】
電源システムへの接続には、電流が電源システムからリザーバまたは電極に伝達されることが確実になるという効果がある。第１のゾーン、電極および組成物のみが、デバイスにおいて導電性である要素であり得る。特に、キャップ、カバーおよび／または適用部材は導電性でなくてもよい。皮膚と接触しかつ導電性である唯一の要素は、組成物であり得る。
【００４１】
第２の弾性変形可能ゾーン
本発明によれば、「弾性変形可能材料」は、有利には少なくとも２％の伸長度を有する材料である。
【００４２】
有利には、第２の弾性変形可能ゾーンは、エラストマー、特に、シリコーンエラストマーを含む。エラストマーの弾性は、所望の流量に適切であるリザーバの圧縮に対して特に好適である。
【００４３】
より有利には、第２の弾性変形可能ゾーンは、少なくとも１０％、好ましくは少なくとも２０％、さらにより好ましくは３０％の伸長度を有する材料を含む。これらの値は、リザーバの漸進的な圧搾に適している。
【００４４】
出口オリフィスの開閉
使用前、出口オリフィスは、取外し可能な閉鎖具により閉鎖することができる。取外し可能な閉鎖具は、オリフィスを解除する位置で取り外すことができる。
【００４５】
さらにより有利には、出口オリフィスが閉鎖位置にあるとき、リザーバは、出口オリフィスを開放する使用者の動作の影響を受けて裂けることができる脆弱ゾーンを含む。使用者は、たとえば、リザーバの脆弱ゾーンを破断することができるねじ、チップまたは刃等の部材を作動させるように、作用することができる。
【００４６】
適用エンドピース
適用エンドピースは、導電性である場合とそうでない場合がある。
【００４７】
適用エンドピースは、特にボールまたはスパイクの形態のいくつかの適用部材を備えることができる。適用部材の多様性により、連続的な方法での組成物の十分な分配が促進され、適切な場合は、処置中に組成物のイオン化が促進される。適用部材の多様性により、処置中のマッサージ効果を向上させることも可能になる。
【００４８】
有利には、適用エンドピースは、回転中心の周囲で移動可能な少なくとも１つのボールを備える。
【００４９】
変形として、適用部材は、任意の輪郭、特に、たとえばローラの形態の円筒状輪郭、または、非円筒状輪郭、たとえば卵形もしくは円盤形状を有することができる。
【００５０】
適用部材は、プラスチックまたは金属から作製することができる。
【００５１】
適用エンドピースはパッドであり得る。
【００５２】
エンドピースの外面は、適用される組成物およびヒトケラチン物質に対して化学的観点から完全に不活性であり得る。外面をワニスで覆うことができる。外面を研磨することができる。外面は、必要な場合は、殺生物性材料を含むことができる。
【００５３】
電源システム
デバイスは、組成物用の適用ゾーンにおいてヒトケラチン物質を電気処置電流にさらすための電源システムを備えることができる。
【００５４】
「電源システム」は、１つまたは複数の電極と少なくとも１つの対極との間に電位差を引き起こすことができる電気アセンブリであるように理解される。適用エンドピースが顔面に配置された場合、かつ対極が一方の手で保持された場合、顔面と手との間に電位差が確立される。
【００５５】
有利には、電源システムは、好ましくは１Ｈｚ〜５ＭＨｚの周波数で交流電流を送達する。
【００５６】
電極
電源システムは、ヒトケラチン物質から間隔をあけてかつ組成物と接触するように配置された電極と、好ましくは、組成物にさらされないゾーンにおいてヒトケラチン物質と接触する対極とを備えることができる。電源システムは、連動する電極またはアレイ等、多電極システムを備えることができる。交流が使用される場合、電極および対極の極性は交番する。
【００５７】
本発明の一実施形態によれば、「電極」は、正に帯電した電極（陽極）または負に帯電した電極（陰極）を意味するように理解される。この電極は、電流が組成物内に流れるのを確実にするように、適用エンドピース内に配置することができる。そして、電極は、エンドピース内部に配置される。この場合、電極は、ヒトケラチン物質と直接接触しないが、組成物自体と接触する。組成物は、デバイスが使用されている間、皮膚と接触している唯一の導電性物質であり得る。電極は、ヒトケラチン物質、特に皮膚と接触する可能性はなく、エンドピースは、皮膚と接触するいかなる導電性材料も含まない。
【００５８】
本文を通して、「電極」という用語は、単一の隔離された電極を意味する。電極は、たとえば、ボール、スパイク、スタッド、舌状体の形態であり得る。デバイスは、単一の電極またはいくつかの電極を備えることができる。
【００５９】
「対極」は、電極に対して異符号で帯電した、すなわち、負、正、または交番する、または発生器の接地に接続された電極であると理解される。概して、前記対極は、デバイスの本体にまたはハンドピースに配置される。対極は、ケアを受けている人の身体の部位と接触するように意図される。一実施形態では、対極は、エンドピースに配置される。この場合、対極は、絶縁空間によって電極から分離される。
【００６０】
電極は、エンドピース内部に収容することができ、電極は特に、０．２ｍｍ〜５ｍｍの距離、適用エンドピースの外壁から間隔を空けて配置される。この距離は、電極と適用エンドピースの外面との間の最短測定可能距離である。それは、測定される距離が最短距離である限り、電極の任意の箇所と適用エンドピースの外面の任意の箇所との間で測定される。
【００６１】
有利には、電源システムは、電極と皮膚との間を流れる処置電流の強度を制御することができる電流または電圧発生器を備え、それにより、電極と対極との間の電圧Ｕを制御することができ、場合により、電流の強度を制御することができる。生成される電圧Ｕは、「皮膚＋組成物」システムのインピーダンスによって決まる。
【００６２】
電極は、平坦であり、たとえば、平坦ディスクまたは多角形の形態であり得る。電極は、たとえば、導電性金属板を打ち抜くかまたは曲げることによって形成され、中空であり得る。電極は多孔質であり得る。電極は、第１のゾーンを導電性にする表面処理によって形成することができる。
【００６３】
電気パラメータ
電源は、任意の電池または任意の蓄電池を含むことができる。電極の間の電圧は、たとえば、１．２Ｖ〜２４Ｖ、好ましくは１．２Ｖ〜３．３Ｖである。適切な場合、電流の通過により、局所加熱をもたらすことができる。
【００６４】
等価な電流密度で、デバイスは、特に、皮膚において、好ましくは０．５００ｍＡ／ｃｍ２ｒ．ｍ．ｓ．以下、たとえば、０．０１ｍＡ／ｃｍ２ｒ．ｍ．ｓ．〜０．５００ｍＡ／ｃｍ２ｒ．ｍ．ｓ．、たとえば、０．１ｍＡ／ｃｍ２ｒ．ｍ．ｓ．〜０．３ｍＡ／ｃｍ２ｒ．ｍ．ｓ．の電流密度を送達することができる。
【００６５】
補完的な美容処置
有利には、デバイスは、適用エンドピースを作動させる熱、光、特に、音波、超音波、高周波またはエレクトロポレーション振動の供給源を備える。
【００６６】
組成物
好ましくは、化粧品組成物は、２５℃でかつ１．０１３  １０５Ｐａの標準大気圧で測定された、０．５Ｐａ．ｓ未満、より好ましくは０．３Ｐａ．ｓ未満、さらに好適には０．２Ｐａ．ｓ未満、特に、０．１Ｐａ．ｓ〜０．２Ｐａ．ｓ、さらに好適には０．０４Ｐａ．ｓ〜０．１７５Ｐａ．ｓの範囲の粘度を有する。
【００６７】
組成物の粘度は、組成物の粘稠度に応じて選択されかつ２００ｒｐｍの回転速度で回転するＭＳ−Ｒ１、ＭＳ−Ｒ２、ＭＳ−Ｒ３、ＭＳ−Ｒ４またはＭＳ−Ｒ５スピンドルが備えられた、Ｒｈｅｏｍａｔ  １８０（Ｌａｍｙ社製）を用いて、２５℃でかつ１．０１３  １０５Ｐａの標準大気圧で測定される。測定は、１０分間の回転の後に行われる。粘度測定は、製造後最大１週間で行われる。
【００６８】
本発明の状況では、ＲＳ−Ｒ３もしくはＭＳ−Ｒ２、または大部分の流体組成物に対して、ＭＳ−Ｒ１のスピンドルが使用される。
【００６９】
デバイスとともに少なくとも１つの化粧品または皮膚科組成物を使用することができる。
【００７０】
使用される組成物は、任意の形態、たとえば、水溶液、油、乳濁液、粉末またはゲルの形態であり得る。使用される組成物はまた、皮膚に噴霧することも可能である。
【００７１】
使用される組成物が粉末またはゲルの形態である場合、それは、上述したように、適用される電極の形状をとることができる。１種または複数種の組成物を適用することができる。このために、リザーバは、いくつかのコンパートメントを備えることができる。
【００７２】
組成物は、活性薬剤を含むことができる。
【００７３】
有利には、組成物は、
−特に、湿潤剤もしくは保湿活性薬剤、老化防止活性薬剤、たとえば、色素脱失活性薬剤、皮膚の微小循環もしくは皮脂調節（ｓｅｂｏｒｅｇｕｌａｔｉｎｇ）に作用する活性薬剤、抗にきび、充填、ビタミン活性薬剤から選択された活性薬剤を含む、フェイスケアまたはボディケア組成物、
−顔または身体を化粧するための一時的な、半永久的なまたは永久的な組成物、
−毛髪用組成物、特に、毛髪を洗浄するため、ヘアケアまたはコンディショニングのため、毛髪の一時的な形態保持もしくは成形のため、毛髪の一時的な、半永久的なもしくは永久的な染めのため、またはストレートパーマもしくはパーマのため、特に、毛根および毛髪をストレートにするか、染めるかもしくは脱色するための組成物、
−頭皮用の組成物、特に、ふけ予防組成物、脱毛を防止するかまたは毛髪の再生を促進する組成物、抗脂漏性、抗炎症性、抗刺激性もしくは鎮静組成物、マーク防止組成物、または頭皮を刺激するかもしくは保護するための組成物
から選択される。
【００７４】
デバイスは、さまざまな美容または皮膚科処置で、たとえば、しわ、ヘルペス、にきびの抑制に努めるために、または皮膚もしくは毛髪の肌密度を高める（ｒｅｄｅｎｓｉｆｙ）ために、使用することができる。
【００７５】
本発明は、本発明の非限定的な例示的な実施形態の以下の詳細な説明を読むことにより、かつ添付の概略的かつ部分的な図面を考察することにより、よりよく理解されよう。
【図面の簡単な説明】
【００７６】
【図１】本発明によるデバイスを備えるように意図された単回投与リザーバの斜視図である。
【図２】図１のリザーバが備えられた本発明によるデバイスの斜視図である。
【図３】図１のデバイスの縦断面である。
【図４】図１の単回投与リザーバの断面図ＡＡである。
【図５】図３からの細部Ｃを示す。
【発明を実施するための形態】
【００７７】
図２および図３は、本発明による、軸Ｘのデバイス１を示す。デバイス１は、本体１２を備え、本体１２には、平坦な適用面５を画定するエンドピース６が取り付けられている。本体１２内部に、組成物の単回投与リザーバ３が適用エンドピース６と接触するように収容されている。
【００７８】
当該例では、本体１２は、熱可塑性材料から作製することができる。変形として、本体１２は、他の任意の材料から作製することができる。適用エンドピース６は、他の任意の形状、たとえばローラの形状を有することができる。適用エンドピース６を、本体１２に圧入するか、スナップ締結するか、またはねじ込むことができる。
【００７９】
デバイス１は、本体１２とエンドピース６との間に収容された電極１０、および本体１２の上に配置された対極１５もまた備える。対極１５は、使用者がデバイス１を手で保持したときに使用者の手と接触し、それにより、電極１０と対極１５との間の電気回路が、処置の瞬間に使用者の身体を通過することにより閉じられる。電極１０の極性化および対極１５の極性化は、使用される組成物の性質に応じて可逆（＋または−）であり得る。
【００８０】
電極１０は、本体１２に収容された電源システムの極に接続され、組成物を収容するリザーバ３と連通する。そして、組成物は、リザーバ３の出口オリフィス４を通過する。そして、組成物は、適用面５の上に移動し、その後、処置される皮膚の上に移動するために、エンドピース６の分配ダクト２０を通過する。
【００８１】
対極１５は、たとえば、バッテリ（電池または充電式バッテリ）によって電力が供給される電源システムの他方の極に接続されている。
【００８２】
ここで、リザーバ３の構造について、図１、図４および図５を参照してより詳細に説明する。
【００８３】
リザーバ３は、電源システムに接続された第１の導電性ゾーン１と、第２の弾性変形可能ゾーン２とを備える。第２のゾーン２は、最初は膨張しており、リザーバ３が空にされる間、組成物を適用面５に向かって放出するために平坦になる。第１のゾーン１および第２のゾーン２は、互いに接着剤によって結合するかまたは溶接することができる。それらは、合わさって、組成物を収容する可変容積空間１２を画定する。空間１２は、図示するように、球体の一部の形状であり得る。
【００８４】
第２のゾーン２は、図示するように、電極１０と接触することができ、または接触しない場合もある。第２のゾーン２は、変形可能かつ導電性材料から作製される場合、電極１０と接触する必要がある。
【００８５】
処置を開始するために、使用者は、押しボタン２５によりデバイス１の電源をオンにする。そして、器具がたとえば顔面に適用されるとき、電極１０と対極１５との間に電流が流れ始め、同時に、組成物が分配される。
【００８６】
変形実施形態では、使用者が、電極の間の電流密度を調整する調整手段２６により、電流の強度を調整することができる。
【００８７】
単回投与リザーバ３が空であるとき、処置は停止する。使い切ったリザーバ３は、新たな処置に備えて新たなリザーバと交換するために取り除かれる。
【００８８】
本発明は、例示する例に限定されない。特に、上述したさまざまな例示的な実施形態の特徴を互いに結合することができる。
【符号の説明】
【００８９】
１  第１の導電性ゾーン、デバイス
２  第２の弾性変形可能ゾーン
３  リザーバ
４  出口オリフィス
５  適用面
６  エンドピース
１０  電極
１２  可変容積空間、本体
１５  対極
２０  分配ダクト
２５  ボタン
２６  調整手段
【図１】
2019517316.tif 000003
【図２】
2019517316.tif 000004
【図３】
2019517316.tif 000005
【図４】
2019517316.tif 000006
【図５】
2019517316.tif 000007
【国際調査報告】
2019517316.tif 000008
2019517316.tif 000009
2019517316.tif 000010
2019517316.tif 000011